(57)【要約】      （修正有）【課題】暗い場所でも目盛りがはっきりと目視出来、対象となる物の寸法を正確に計る事の出来るプラスチック定規を提供する。【解決手段】アクリル樹脂の中を通る光はその進行方向の端面が明るく光るという特性を利用して、プラスチック定規の背面にＬＥＤを配置し、電源を入れる事により、ＬＥＤから発せられた光が目盛り部の傾斜面や、端面がエッジライト（登録商標）効果により明るく光る為、薄暗い場所でもわざわざ明るい場所へ移動したりする事なく、対象となるものの寸法が正確に計測できる定規を作る事が可能となる。【選択図】図１
0003155626.tif 000002
【実用新案登録請求の範囲】
【請求項１】
アクリル、スチロール、ポリエステル等透明樹脂成形による定規の後端面にＬＥＤの光源を具備し、電源スイッチを入れる事で目盛り部の端面が明るく光り、薄暗い場所でもしっかりと目盛りが読める事を特徴とするプラスチック定規。
【請求項２】
目盛り部を成形時に０．２ｍｍ程彫り込んだかたちにし、電源スイッチを入れた時に目盛りや数字が明るく光る事を特徴とする請求項１に記載のプラスチック定規。
【請求項３】
使用するＬＥＤの発光色により、白、赤、黄、青等、目盛り部前端、或は目盛り自体がそれぞれの色で光る事を特徴とする請求項１乃至請求項２のいずれか１項に記載のプラチック定規。
【請求項４】
電源を太陽光電力とする請求項１乃至請求項３のいずれか１項に記載のプラスチック定規。
【考案の詳細な説明】
【技術分野】
【０００１】本考案はプラスチック定規に関する。
【背景技術】
【０００２】従来の定規は、手暗がりの場所で使用する際その目盛りが読みずらく、明るい場所へ移動したり、身体の向きを光の方へ変える等して寸法を読まなければならないという欠点があった。（特許文献１）号広報
【特許文献１】特開２００８−３０４４４２
【考案の開示】
【考案が解決しようとする課題】
【０００３】暗い場所でも目盛りがはっきりと目視出来、対象となる物の寸法を正確に計る事の出来るプラスチック定規を提供するものである。
【課題を解決する為の手段】
【０００４】本考案は上記目的を達成する為に、目盛り部を備えた素材がアクリル、スチロール、ポリエステル等から成るプラスチック定規１と目盛り部と反対側の後端にＬＥＤ２とそれを発光させる為のリチューム電池３、及び電源スイッチ４、及び電池蓋５から成る部材６により構成されており、プラスチック定規１の後端に設けられた細かいローレット７により、ＬＥＤ２から発光された光は拡散されエッジライト（登録商標）効果により目盛り部を満遍なく光らせる事が可能となる。
【０００５】更にプラスチック定規１の目盛りや数字を成形時０．２ｍｍ程彫り込む事で前述のエッジライト（登録商標）効果により目盛りや数字等全てを明るく光らせる事が可能となる。
【０００６】光源となるＬＥＤ２は、定規の長さに応じてその数を１つ若しくは数個組み込んでも良い。
【０００７】電源となるバッテリー３は、薄型で丸い、リチューム電池を使用する事で、部材６の厚さを押さえる事が可能となる。
【考案の効果】
【０００８】本考案の一実施形態に係るエッジライト（登録商標）定規によれば、暗がりに於ける定規を使っての寸法計測等の際に、わざわざ明るい場所に移動したり、身体の向きを光の来る方向に向ける事なく、その目的を達成出来るという効果が期待出来るものである。具体的には以下に示す通りである。
【０００９】図４に示すように、例えばアクリル樹脂の中を通過するＬＥＤ２の光は直進し、端面部分が明るく光るという特性を利用する事で、斜めに傾斜した目盛り部や周辺の端面はエッジライト（登録商標）効果により面として明るく光る効果がある。
【００１０】また、図５に示すようプラスチック定規１の目盛り及び数字を０．２ミリほど掘り下げて成形する事により前述の特性通り目盛り及び数字全てがエッジライト（登録商標）効果により明るく光るという効果がある。
【００１１】また、プラスチック定規１の背面に白、赤、黄、緑、青色等のＬＥＤ２を光源として配置する事でユーザーの好みの色が選択出来る効果がある。
【考案を実施する為の最良の形態】
【００１２】図１は本考案の一実施形態に係るエッジライト（登録商標）定規を組み立てた斜視図である。図２はその分解斜視図であり、プラスチック定規１の目盛り部をエッジライト（登録商標）効果で光らせる為、例えば３０センチ定規であれば、その幅の後部中心に光らせる為の光源となるＬＥＤ２を配する事で、更にはプラスチック定規１の後端の一部を弓形状に切り欠き、その端面にピッチ１．５ミリ程の間隔でＶ字状のローレット７を刻む事でＬＥＤ２から発光された光は拡散され、プラスチック定規１の目盛り部を万遍なく光らせる事が可能となる。
【００１３】通常のプラスチック定規の厚みは３〜４ミリ程なので、部材６はその厚みが５〜６ミリ程が好適であり、横幅は図１のようにプラスチック定規１の幅にそろえるか、又は図６のように短くしても良い。
【００１４】又、前述のリチューム電池の変わりに、図７に示すよう太陽光電力８を使っても良い。以下に実施例を示す事で本考案の詳細を説明するが、その構成、形状は設計変更が出来る。本考案は多くの異なる態様で実施することが可能であり、以下に示す実施例記載内容に限定して解釈されるものではない。以下図面に従って説明する。
【実施例】
【００１５】図２は本考案の一実施形態に係るエッジライト（登録商標）定規の分解斜視図である。プラスチック定規１を請求項１に示すようアクリル、スチロール、ポリエステル等の透明樹脂で射出成形し、その後端の一部を弓形状に切り欠き弓形状の端面にピッチ１．５ミリ程でＶ字型のローレット７を設ける。（図３）そしてその切り欠き部の後１ミリ程の位置にＬＥＤ２が配置されるよう設計されたＡＢＳ樹脂で成形された部材６を組み付ける。部材６にはＬＥＤ２を点灯する為の電源スイッチ４が用意されており必用に応じて使用する。【００１６】図３に示すよう、プラスチック定規１の後端には弓形状の切り欠きを設け、その端面にＶ字状のローレット７を刻む事で、ＬＥＤ２から発せられた光は拡散され、プラスチック定規１の前側、すなわち目盛り部周辺の端面や斜面はエッジライト（登録商標）効果により明るく光る事となる。図４はＬＥＤ２から発せられた光の進み具合を示した断面図である。、【００１７】図５は請求項２に示すようプラスチック定規１の目盛り部及び数字をその底面から０．２ミリ程掘り下げて成形する事で、前述の通りそのエッジ面にＬＥＤ２からの光が当たり、目盛り部や数字が明るく光る事となる。【００１８】図６は本考案において部材６ａの長さ方向のサイズを変えた一実施形態を示すものである。【００１９】図７は請求項４に示すよう、電源として太陽光電力８を利用した一実施形態を示すものである。【００２０】図８は本考案の一実施形態に係るエッジライト（登録商標）定規の正面図である。【００２１】図９は本考案の一実施形態に係るエッジライト（登録商標）定規の背面図である。【００２２】図１０は本考案の一実施形態に係るエッジライト（登録商標）定規の上面図であり、電源スイッチ４を備える。【００２３】図１１は本考案の一実施形態に係るエッジライト（登録商標）定規の底面図であり、電池蓋５が設けられており、必用に応じて消耗した電池を交換出来る。【００２４】図１２は本考案の一実施形態に係るエッジライト（登録商標）定規の右側面図である。【００２５】図１３は本考案の一実施形態に係るエッジライト（登録商標）定規のａ−ａ断面図である。【００２６】図１４は本考案の一実施形態に係るエッジライト（登録商標）定規の斜視図であるが、その寸法はおよそ横幅で３４０ミリ、奥行きで４６ミリ、厚さで５．５〜６ミリ程が扱い易く好適である。【００２７】又、図１５はリチューム電池３を二つ使って長時間使用出来るようにし、ＬＥＤ２も二つ使用する事で、より明るく，均一な光を得られるを目的とした一実施形態を表した図である。【００２８】又、図１６は使用するリチューム電池を小さいサイズにする事で、部材６ｃを小さく出来、更にプラスチック定規１ａも図に示すような形状にする事で、より軽快感を得られる一実施形態を表す図である【００２９】図１７は部材６ｃの形状を変えた一実施形態を表した斜視図であり、部材６ｃの寸法は、横幅で１４０ミリ、奥行きで１６ミリ程が望ましい。【００３０】図１８は部材６ｄを組み付けた一実施形態の正面図である。【００３１】図１９は前記図１８の一実施形態の斜視図であるが、部材６ｄの寸法も横幅で１４０ミリ、奥行きで１６ミリ程が好適である。
【産業上の利用可能性】
【００３２】本考案におけるエッジライト（登録商標）定規によれば照明器具の無いような薄暗い場所や、極端に言えば真っ暗闇の中でも対象となるものの寸法が測れるという効果が期待でき、細かい作業をする人にとって有効な手段となるものである。
【図面の簡単な説明】
【００３３】
【図１】本考案の一実施形態に係るエッジライト（登録商標）定規の斜視図。
【図２】同エッジライト（登録商標）定規の分解斜視図。
【図３】同エッジライト（登録商標）定規の部分拡大図。
【図４】同エッジライト（登録商標）定規の断面図。
【図５】本考案の一実施形態に係るエッジライト（登録商標）定規の部分斜視図。
【図６】本考案の一実施形態に係るエッジライト（登録商標）定規の斜視図。
【図７】本考案の一実施形態に係るエッジライト（登録商標）定規の斜視図。
【図８】本考案の一実施形態に係るエッジライト（登録商標）定規の正面図。
【図９】同エッジライト（登録商標）定規の背面図。
【図１０】同エッジライト（登録商標）定規の上面図。
【図１１】同エッジライト（登録商標）定規の底面図
【図１２】同エッジライト（登録商標）定規の右側面図
【図１３】同エッジライト（登録商標）定規のａ−ａ面図
【図１４】同エッジライト（登録商標）定規の外形寸法斜視図。
【図１５】本考案の一実施形態に係るエッジライト（登録商標）定規の上面図。
【図１６】本考案の一実施形態に係るエッジライト（登録商標）定規の上面図。
【図１７】同エッジライト（登録商標）定規の斜視図。
【図１８】本考案の一実施形態に係るエッジライト（登録商標）定規の上面図。
【図１９】同エッジライト（登録商標）定規の斜視図。
【符号の説明】
【００３４】１・・・プラスチック定規
１ａ・・プラスチック定規
２・・・ＬＥＤ
３・・・リチューム電池
４・・・電源スイッチ
５・・・電池蓋
６・・・部材
６ａ・・部材
６ｂ・・部材
６ｃ・・部材
６ｄ・・部材
７・・・ローレット
８・・・太陽光電力
【図１】
0003155626.tif 000003
【図２】
0003155626.tif 000004
【図３】
0003155626.tif 000005
【図４】
0003155626.tif 000006
【図５】
0003155626.tif 000007
【図６】
0003155626.tif 000008
【図７】
0003155626.tif 000009
【図８】
0003155626.tif 000010
【図９】
0003155626.tif 000011
【図１０】
0003155626.tif 000012
【図１１】
0003155626.tif 000013
【図１２】
0003155626.tif 000014
【図１３】
0003155626.tif 000015
【図１４】
0003155626.tif 000016
【図１５】
0003155626.tif 000017
【図１６】
0003155626.tif 000018
【図１７】
0003155626.tif 000019
【図１８】
0003155626.tif 000020
【図１９】
0003155626.tif 000021